(57)【要約】【課題】  防犯性を維持しつつ操作性を容易に向上させることが可能な施錠装置及び該施錠装置を備える開口部装置を提供する。【解決手段】  シリンダー錠１、５１、錠箱１０、６０、及び室内側ユニット２０、７０を室外側から順に備え、室外側からそれぞれ独立して施解錠されるとともに室内側からそれぞれ独立して施解錠可能な一対の施錠ユニット４０、８０と、これら施錠ユニット４０、８０の施解錠に関する連動手段９０とを具備し、室内側ユニット２０、７０はそれぞれ室内操作手段２２、７２を備え、連動手段９０は、一方の室内操作手段２２の機械的な操作を介してその動作が制御される、施錠装置１００とする。【選択図】      図１
2006200147.tif 000002
【特許請求の範囲】
【請求項１】
シリンダー錠、錠箱、及び室内側ユニットを室外側から順に備え、室外側からそれぞれ独立して施解錠されるとともに室内側からそれぞれ独立して施解錠可能な一対の施錠ユニットと、これら施錠ユニットの施解錠に関する連動手段とを具備し、前記室内側ユニットはそれぞれ室内操作手段を備え、前記連動手段は、一方の前記室内操作手段の機械的な操作を介してその動作が制御されることを特徴とする、施錠装置。
【請求項２】
前記一対の施錠ユニットにそれぞれ備えられる室内側ユニットは、回転子と回転手段とを備え、室外側からの操作によっては、一の回転子は一の回転手段を駆動させず、一方の前記室内操作手段の機械的な操作を介する動作に対してのみ前記一の回転子が前記一の回転手段を駆動可能であり、かかる一の回転手段の駆動が前記連動手段に伝えられることを特徴とする、請求項１に記載の施錠装置。
【請求項３】
前記一対の施錠ユニットは、第１の施錠ユニット及び第２の施錠ユニットからなり、
前記第１の施錠ユニットは、第１のシリンダー錠と、該第１のシリンダー錠の操作に応じて回転動作される第１駆動子及び該第１駆動子の回転動作に応じて駆動される第１デッドボルトを備える第１の錠箱と、前記第１駆動子の回転動作に応じて回転動作される第１回転子及び該第１回転子の回転動作により回転動作され得る第１回転手段、並びに、前記第１回転子と接続され室内外方向へ動作され得る第１室内操作手段を備える第１の室内側ユニットとを、室外側から順に備え、前記第１回転子は、該第１回転子及び前記第１回転手段の相対位置に応じて該第１回転手段を駆動可能であり、
前記第２の施錠ユニットは、第２のシリンダー錠と、該第２のシリンダー錠の操作に応じて回転動作される第２駆動子及び該第２駆動子の回転動作に応じて駆動される第２デッドボルトを備える第２の錠箱と、前記第２駆動子の回転動作に応じて回転動作される第２回転子、該第２回転子の回転動作に応じて回転動作される第２回転手段、及び前記第２回転子と接続された第２室内操作手段を備える第２の室内側ユニットとを、室外側から順に備え、前記第２回転手段は、前記連動手段を介して前記第１回転手段と連結されている、施錠装置であって、
前記第１室内操作手段を室外側へ移動させながら操作すると、前記第１回転子の回転動作により前記第１回転手段が駆動されるとともに前記連動手段を介して該第１回転手段と連結された前記第２回転手段が連動して駆動され、前記第１回転子の回転動作に応じて前記第１駆動子が回転動作されるとともに、前記第２回転手段の回転動作に応じて前記第２回転子及び第２駆動子が回転動作され、
前記第１室内操作手段を単に操作すると、前記第１回転子の回転動作に応じて前記第１駆動子が回転動作され、
前記第２室内操作手段を操作すると、前記第２回転子の回転動作に応じて前記第２回転手段及び第２駆動子が回転動作されるとともに、前記連動手段を介して該第２回転手段と連結された前記第１回転手段が連動して回転動作され、
前記第１及び／又は第２駆動子が回転動作すると、前記第１及び／又は第２デッドボルトが駆動されて前記第１及び／又は第２の錠箱が施解錠され、
前記第１及び第２の錠箱の施解錠状態が異なる場合には、前記第１室内操作手段の室外側への移動が防止又は抑制されて、該第１室内操作手段を室外側へ移動させながら操作すること及び前記第１回転子の回転動作を前記第１回転手段へ伝達することが不可能になるとともに、
前記第１及び第２の錠箱の施解錠状態が同一である場合には、前記第１室内操作手段が室外側へ移動可能であり、前記第１回転子の回転動作を前記第１回転手段へ伝達可能であることを特徴とする、請求項２に記載の施錠装置。
【請求項４】
請求項１〜３のいずれか１項に記載の施錠装置を備えることを特徴とする、開口部装置。
【発明の詳細な説明】
【技術分野】
【０００１】
本発明は、施錠装置及び該施錠装置を備える開口部装置に関し、特に、防犯性を維持しつつ操作性を容易に向上させること、及び、取替え作業の作業性を向上させることが可能な施錠装置、並びに、該施錠装置を備える開口部装置に関する。
【背景技術】
【０００２】
わが国は世界に冠たる治安の安定した国であるが、一方で、賊が住宅に侵入して金品を奪い去るという犯罪も後を絶たない。かかる賊は、いわゆるサムターン回しやピッキング等の手口により、室外から侵入することが知られている。そのため、近年では、玄関扉に複数の錠を設け、扉の開放角度を規制して来訪者の確認等を安全に行い得る施錠装置を設ける等の方法により、防犯対策が施されている。なお、玄関扉等に設けられる錠は、室外側から操作されるシリンダー錠と、玄関扉等の内部に配設される錠箱とを備え、室内側からはサムターン等の操作手段を介して錠箱の施解錠を行うのが通常である。
【０００３】
このように、複数の錠を備える玄関扉等とすることで防犯性を向上させると、室内側から施解錠操作を行う場合にも複数の操作手段の操作を行う必要がある。そのため、従来の施錠装置では、防犯性を向上させると、室内側からの施解錠操作の操作性が低下してしまうという問題があった。
【０００４】
かかる問題を解決するため、特許文献１には、ガードボルトと、デッドボルト及びカマデッドを備える錠箱と、ストライク及びガードアームを備える扉枠とを備える施錠装置に関する技術が開示されている。かかる技術によれば、１つのサムターンを回転操作することにより、ガードボルトとデッドボルトとを順次突出させることが可能になるため、１つの施錠装置のみにより信頼性を低下させずにコンパクトに形成可能な施錠装置が提供されるとしている。
【特許文献１】特開２０００−２９１３０３号公報
【発明の開示】
【発明が解決しようとする課題】
【０００５】
しかし、特許文献１に開示されている施錠装置によれば、従来の施錠装置からの取り替え作業時に、少なくとも室内側ユニット及び錠箱を取り替える必要があるため、当該作業が比較的大掛かりになりやすいという問題があった。
【０００６】
そこで、本発明は、防犯性を維持しつつ操作性を容易に向上させること、及び、取替え作業の作業性を向上させることが可能な施錠装置、並びに、該施錠装置を備える開口部装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。また、以下の説明において、第１及び第２の施錠ユニットの各構成要素について説明する際に、第１、第２の区別をする必要がない場合には、適宜、第１、第２の語を省略して記載する。
【０００８】
請求項１に記載の発明は、シリンダー錠（１、５１）、錠箱（１０、６０）、及び室内側ユニット（２０、７０）を室外側から順に備え、室外側からそれぞれ独立して施解錠されるとともに室内側からそれぞれ独立して施解錠可能な一対の施錠ユニット（４０、８０）と、これら施錠ユニット（４０、８０）の施解錠に関する連動手段（９０）とを具備し、室内側ユニット（２０、７０）はそれぞれ室内操作手段（２２、７２）を備え、連動手段（９０）は、一方の室内操作手段（２２）の機械的な操作を介してその動作が制御されることを特徴とする、施錠装置（１００）を提供して、上記課題を解決しようとするものである。
【０００９】
ここに、本発明にかかる連動手段（９０）は、一対の施錠ユニット（４０、８０）を機械的な構造を介して連動させる手段を指し、電気的な制御により連動させる手段は含まない概念である。また、室内操作手段（２２）の機械的な操作とは、例えば、前後動や上下動等による操作を意味している。さらに、本発明にかかる室内操作手段の形態は特に限定されるものではなく、その具体的な形態としては、回転操作が可能なサムターン形態等を挙げることができる。加えて、シリンダー錠（１、５１）及び錠箱（１０、６０）の形態は特に限定されるものではなく、例えば、スイング型の扉等に使用され得る形態の従来のシリンダー錠（１、５１）、錠箱（６０）、及び従来のガードアームロック型の錠箱（１０）等を使用することが可能である。
【００１０】
請求項２に記載の発明は、請求項１に記載の施錠装置（１００）において、一対の施錠ユニット（４０、８０）にそれぞれ備えられる室内側ユニット（２０、７０）は、回転子（２３、７２Ｅ）と回転手段（２１、７１）とを備え、室外側からの操作によっては、一の回転子（２３）は一の回転手段（２１）を駆動させず、一方の室内操作手段（２２）の機械的な操作に対してのみ一の回転子（２３）は一の回転手段（２１）を駆動可能であり、かかる一の回転手段（２１）の駆動が連動手段（９０）に伝えられることを特徴とする。
【００１１】
請求項３に記載の発明は、請求項２に記載の施錠装置（１００）において、一対の施錠ユニット（４０、８０）は、第１の施錠ユニット（４０）及び第２の施錠ユニット（８０）からなり、第１の施錠ユニット（４０）は、第１のシリンダー錠（１）と、当該第１のシリンダー錠（１）の操作に応じて回転動作される第１駆動子（１１）及び当該第１駆動子（１１）の回転動作に応じて駆動される第１デッドボルト（１２）を備える第１の錠箱（１０）と、第１駆動子（１１）の回転動作に応じて回転動作される第１回転子（２３）及び当該第１回転子（２３）の回転動作により回転動作され得る第１回転手段（２１）、並びに、第１回転子（２３）と接続され室内外方向へ動作可能な第１室内操作手段（２２）を備える第１の室内側ユニット（２０）とを、室外側から順に備え、第１回転子（２３）は、当該第１回転子（２３）及び第１回転手段（２１）の相対位置に応じて当該第１回転手段を駆動可能であり、第２の施錠ユニット（８０）は、第２のシリンダー錠（５１）と、当該第２のシリンダー錠（５１）の操作に応じて回転動作される第２駆動子（６１）及び当該第２駆動子（６１）の回転動作に応じて駆動される第２デッドボルト（６２）を備える第２の錠箱（６０）と、第２駆動子（６１）の回転動作に応じて回転動作される第２回転子（７２Ｅ）、当該第２回転子（７２Ｅ）の回転動作に応じて回転動作される第２回転手段（７１）、及び第２回転子（７２Ｅ）と接続された第２室内操作手段（７２）を備える第２の室内側ユニット（７０）とを、室外側から順に備え、第２回転手段（７１）は、連動手段を介して第１回転手段（２１）と連結されている、施錠装置（１００）であって、
第１室内操作手段（２２）を室外側へ移動させながら操作すると、第１回転子（２３）の回転動作により第１回転手段（２１）が駆動されるとともに連動手段（９０）を介して当該第１回転手段（２１）と連結された第２回転手段（７１）が連動して駆動され、第１回転子（２３）の回転動作に応じて第１駆動子（１１）が回転動作されるとともに、第２回転手段（７１）の回転動作に応じて第２回転子（７２Ｅ）及び第２駆動子（６１）が回転動作され、第１室内操作手段（２２）を単に操作すると、第１回転子（２３）の回転動作に応じて第１駆動子（１１）が回転動作され、第２室内操作手段（７２）を操作すると、第２回転子（７２Ｅ）の回転動作に応じて第２回転手段（７１）及び第２駆動子（６１）が回転動作されるとともに、連動手段（９０）を介して当該第２回転手段（７１）と連結された第１回転手段（２１）が連動して回転動作され、第１及び／又は第２駆動子（１１、６１）が回転動作すると、第１及び／又は第２デッドボルト（１２、６２）が駆動されて第１及び／又は第２の錠箱（１０、６０）が施解錠され、第１及び第２の錠箱（１０、６０）の施解錠状態が異なる場合には、第１室内操作手段（２２）の室外側への移動が防止又は抑制されて、第１室内操作手段（２２）を室外側へ移動させながら操作すること及び第１回転子（２３）の回転動作を第１回転手段（２１）へ伝達することが不可能になるとともに、第１及び第２の錠箱（１０、６０）の施解錠状態が同一である場合には、第１室内操作手段（２２）が室外側へ移動可能であり、第１回転子（２３）の回転動作を第１回転手段（２１）へ伝達可能であることを特徴とする。
【００１２】
ここに、本発明において、「Ｘの回転動作に応じて回転動作されるＹ」とは、Ｘ及びＹが、Ｘが回転動作されるとＹも回転動作され、Ｙが回転動作されるとＸも回転動作される関係にあることを意味している。なお、このＸ、Ｙには、駆動子、回転子、及び回転手段等の語句が挿入され得る。また、第１室内操作手段（２２）を単に操作するとは、当該第１室内操作手段（２２）を室外側へ移動させることなく操作することを意味している。さらに、本発明において、駆動子（１１、６１）の形態は特に限定されるものではなく、例えば、上記シリンダー錠に設けられている形態の軸穴等を好適に用いることができる。加えて、駆動子（１１、６１）及び回転子（２３、７２Ｅ）が共に回転する際の形態も特に限定されるものではなく、他の部材を介さずに駆動子（１１、６１）及び回転子（２３、７２Ｅ）が共に回転する形態であっても良く、他の部材を介して駆動子（１１、６１）及び回転子（２３、７２Ｅ）が共に回転する形態であっても良い。他の部材を介さずに回転する形態の具体例としては、回転子（２３、７２Ｅ）の一端が駆動子（１１、６１）の中に差し込まれて、駆動子（１１、６１）及び回転子（２３、７２Ｅ）が共に回転する形態等を挙げることができる。これに対し、他の部材を介して回転する形態の具体例としては、当該他の部材の少なくとも一部が駆動子（１１、６１）の中に差し込まれるとともに当該他の部材の中に回転子（２３、７２Ｅ）が差し込まれて共に回転する形態や、当該他の部材の一端が駆動子（１１、６１）の中に、他端が回転子（２３、７２Ｅ）の中に差し込まれて共に回転する形態等を挙げることができる。
【００１３】
また、回転子（２３、７２Ｅ）の形態は、室内操作手段（２２）を室外側へ移動させながら操作する時には、当該回転子（２３、７２Ｅ）、回転手段（２１、７１）、及び駆動手段（１１、６１）が共に回転するとともに、第１シリンダー錠（１）の操作時には回転手段（２１、７１）、第２回転子（７２Ｅ）、及び第２駆動子（６１）が回転せず、さらに、第２シリンダー錠（５１）の操作時には第１回転子（２３）及び第１駆動子（１１）が回転しない形態を備えていれば、特に限定されるものではない。加えて、室内操作手段（２２）の形態も特に限定されず、本発明にかかる施錠装置（１００）が備えられ得る開口部装置の形態等によって適宜選択可能である。
【００１４】
他方、請求項３にかかる施錠装置における、錠箱の施解錠状態と室内操作手段の操作との関係の一例を以下に示す。すなわち、
ｉ）第１の錠箱（１０）及び第２の錠箱（６０）が解錠状態である場合に第１室内操作手段（２２）を室外側へ移動させながら施錠操作を行うと、第１の施錠ユニット（４０）では、第１室内操作手段（２２）の連動部（２２Ｅ）が第１回転手段（２１）の孔（２１Ｅ）と噛み合うため、第１回転子（２３）、第１回転手段（２１）、及び第１駆動子（１１）が共に回転動作されて第１の錠箱（１０）が施錠される。これに対し、第２の施錠ユニット（８０）では、連動手段（９０）を介して第１回転手段（２１）と連動する第２回転手段（７１）と、第２回転子（７２Ｅ）及び第２駆動子（６１）とが共に回転動作されて第２の錠箱（６０）が施錠される。
【００１５】
ｉｉ）第１の錠箱（１０）及び第２の錠箱（６０）が解錠状態である場合に第１室内操作手段（２２）を単に操作することにより施錠操作を行うと、第１の施錠ユニット（４０）では、第１回転子（２３）及び第１駆動子（１１）が共に回転動作されて第１の錠箱（１０）が施錠される一方で、第１回転手段（２１）が回転動作されない。これに対し、第２の施錠ユニット（８０）では、第２回転手段（７１）、第２回転子（７２Ｅ）、及び第２駆動子（６１）が回転動作されないため、第２の錠箱（６０）の解錠状態が維持される。
【００１６】
ｉｉｉ）第１の錠箱（１０）及び第２の錠箱（６０）が解錠状態である場合に第２室内操作手段（７２）を用いて施錠操作を行うと、第２の施錠ユニット（８０）では、第２回転子（７２Ｅ）、第２回転手段（７１）、及び第２駆動子（６１）が共に回転動作されて第２の錠箱（６０）が施錠される。これに対し、第１の施錠ユニット（４０）では、連動手段（９０）を介して第２回転手段（７１）と連動する第１回転手段（２１）が回転動作される一方、第１回転子（２３）及び第１駆動子（１１）が回転動作されないため、第１の錠箱（１０）の解錠状態が維持される。
【００１７】
ｉｖ）第１の錠箱（１０）及び第２の錠箱（６０）が施錠状態である場合に第１室内操作手段（２２）を室外側へ移動させながら解錠操作を行うと、第１の施錠ユニット（４０）では、第１室内操作手段（２２）の連動部（２２Ｅ）が第１回転手段（２１）の孔（２１Ｅ）と噛み合うため、第１回転子（２３）、第１回転手段（２１）、及び第１駆動子（１１）が共に回転動作されて第１の錠箱（１０）が解錠される。これに対し、第２の施錠ユニット（８０）では、連動手段（９０）を介して第１回転手段（２１）と連動する第２回転手段（７１）と、第２回転子（７２Ｅ）及び第２駆動子（６１）とが共に回転動作されて第２の錠箱（６０）が解錠される。
【００１８】
ｖ）第１の錠箱（１０）及び第２の錠箱（６０）が施錠状態である場合に第１室内操作手段（２２）を単に操作することにより解錠操作を行うと、第１の施錠ユニット（４０）では、第１回転子（２３）及び第１駆動子（１１）が共に回転動作されて第１の錠箱（１０）が解錠される一方で、第１回転手段（２１）が回転動作されない。これに対し、第２の施錠ユニット（８０）では、第２回転手段（７１）、第２回転子（７２Ｅ）、及び第２駆動子（６１）が回転動作されないため、第２の錠箱（６０）の施錠状態が維持される。
【００１９】
ｖｉ）第１の錠箱（１０）及び第２の錠箱（６０）が施錠状態である場合に第２室内操作手段（７２）を用いて施錠操作を行うと、第２の施錠ユニット（８０）では、第２回転子（７２Ｅ）、第２回転手段（７１）、及び第２駆動子（６１）が共に回転動作されて第２の錠箱が解錠される。これに対し、第１の施錠ユニット（４０）では、連動手段（９０）を介して第２回転手段（７１）と連動する第１回転手段（２１）が回転動作される一方、第１回転子（２３）及び第１駆動子（１１）が回転動作されないため、第１の錠箱（１０）の施錠状態が維持される。
【００２０】
ｖｉｉ）第１の錠箱（１０）及び第２の錠箱（６０）が解錠及び施錠状態である場合に第１室内操作手段（２２）を用いて施錠操作を行うと、第１及び第２の錠箱（１０、６０）の施解錠状態が異なる当該場合には第１室内操作手段（２２）を室外側へ移動させながら操作することが不可能になるため、第１室内操作手段（２２）を単に操作することのみが可能になる。すなわち、第１の施錠ユニット（４０）では、第１回転子（２３）及び第１駆動子（１１）が共に回転動作されて第１の錠箱（１０）が施錠される一方で、第１回転手段（２１）が回転動作されない。これに対し、第２の施錠ユニット（８０）では、第２回転手段（７１）、第２回転子（７２Ｅ）、及び第２駆動子（６１）が回転動作されないため、第２の錠箱（６０）の施錠状態が維持される。
【００２１】
ｖｉｉｉ）第１の錠箱（１０）及び第２の錠箱（６０）が解錠及び施錠状態である場合に第２室内操作手段（７２）を用いて解錠操作を行うと、第２の施錠ユニット（８０）では、第２回転子（７２Ｅ）、第２回転手段（７１）、及び第２駆動子（６１）が共に回転動作されて第２の錠箱（６０）が解錠される。これに対し、第１の施錠ユニット（４０）では、連動手段（９０）を介して第２回転手段（７１）と連動する第１回転手段（２１）が回転動作される一方、第１回転子（２３）及び第１駆動子（１１）が回転動作されないため、第１の錠箱（１０）の解錠状態が維持される。
【００２２】
ｉｘ）第１の錠箱（１０）及び第２の錠箱（６０）が施錠及び解錠状態である場合に第１室内操作手段（２２）を用いて施錠操作を行うと、第１及び第２の錠箱（１０、６０）の施解錠状態が異なる当該場合には第１室内操作手段（２２）を室外側へ移動させながら操作することが不可能になるため、第１室内操作手段（２２）を単に操作することのみが可能になる。すなわち、第１の施錠ユニット（４０）では、第１回転子（２３）及び第１駆動子（１１）が共に回転動作されて第１の錠箱（１０）が解錠される一方で、第１回転手段（２１）が回転動作されない。これに対し、第２の施錠ユニット（８０）では、第２回転手段（７１）、第２回転子（７２Ｅ）、及び第２駆動子（６１）が回転動作されないため、第２の錠箱（６０）の解錠状態が維持される。
【００２３】
ｘ）第１の錠箱（１０）及び第２の錠箱（６０）が施錠及び解錠状態である場合に第２室内操作手段（７２）を用いて施錠操作を行うと、第２の施錠ユニット（８０）では、第２回転子（７２Ｅ）、第２回転手段（７１）、及び第２駆動子（６１）が共に回転動作されて第２の錠箱（６０）が施錠される。これに対し、第１の施錠ユニット（４０）では、連動手段（９０）を介して第２回転手段（７１）と連動する第１回転手段（２１）が回転動作される一方、第１回転子（２３）及び第１駆動子（１１）が回転動作されないため、第１の錠箱（１０）の施錠状態が維持される。
【００２４】
請求項４に記載の発明は、請求項１〜３のいずれか１項に記載の施錠装置（１００）を備えることを特徴とする、開口部装置（１０００）により、上記課題を解決する。
【００２５】
ここに、本発明にかかる開口部装置（１０００）の形態は、施錠装置（１００）を備えることが可能であれば、特に限定されるものではない。その形態の具体例としては、スイング型の玄関、勝手口、又は通用口等を挙げることができる。
【発明の効果】
【００２６】
請求項１に記載の発明によれば、例えば、室外側から解錠する場合には各施錠ユニット（４０、８０）に対して独立した解錠操作を行う必要がある。これに対し、室内側から施解錠する場合には、上記施錠ユニット（４０、８０）を機械的に連動させる連動手段（９０）を介して、一回の解錠操作により、一対の施錠ユニット（４０、８０）を解錠することが可能である一方、室内側から一対の施錠ユニット（４０、８０）を連動させたくない場合には、一方の施錠ユニット（４０又は８０）のみを施解錠することも可能になる。そして、施錠装置（１００）によれば、一対の施錠ユニット（４０、８０）は、室外側から独立して施解錠されるので、防犯性を維持しつつ操作性を向上させることが可能になる。加えて、施錠装置（１００）によれば、従来のシリンダー錠及び箱錠を利用することが可能であるので、室内側ユニットのみを交換することにより、施錠装置（１００）へ変更することが可能になり、取替え作業の作業性を向上させることが可能になる。したがって、請求項１に記載の発明によれば、防犯性を維持しつつ操作性を容易に向上させること、及び、取替え作業の作業性を向上させることが可能な施錠装置（１００）を提供することが可能になる。
【００２７】
請求項２に記載の発明によれば、室内側からの操作形態を選択することにより、室内側からは一対の施錠ユニット（４０、８０）の施解錠操作の連動及び非連動を選択可能である一方、室外側からは一対の施錠ユニット（４０、８０）の施解錠操作を非連動とすることが可能な、施錠装置（１００）とすることが可能になる。したがって、請求項２に記載の発明によれば、防犯性を維持しつつ操作性を容易に向上させること、及び、取替え作業の作業性を向上させることが可能な施錠装置（１００）を提供することが可能になる。
【００２８】
請求項３に記載の発明によれば、室内操作手段（２２）を室外側へ移動させながら操作することにより第１の錠箱（１０）及び第２の錠箱（６０）の施解錠状態を連動可能である一方、室外側からの操作によっては上記施解錠状態を連動させることは不可能である。したがって、請求項３に記載の発明によれば、より確実に防犯性を維持しつつ操作性を容易に向上させること、及び、取替え作業の作業性を向上させることが可能な施錠装置（１００）を提供することが可能になる。
【００２９】
請求項４に記載の発明によれば、防犯性を維持しつつ操作性を容易に向上させること、及び、取替え作業の作業性を向上させることが可能な施錠装置（１００）が備えられているので、防犯性を維持しつつ操作性を容易に向上させること、及び、取替え作業の作業性を向上させることが可能な開口部装置（１０００）を提供することが可能になる。
【００３０】
本発明のこのような作用及び利得は、次に説明する発明を実施するための最良の形態から明らかにされる。
【発明を実施するための最良の形態】
【００３１】
以下本発明を図面に示す実施形態に基づき説明する。なお、以下の説明では、室内操作手段を「サムターン」と記述することがある。
【００３２】
１．施錠装置及び開口部装置の構造
図１は、本発明の施錠装置を備える開口部装置の代表的な部位を抽出してその形態例を概略的に示す、室内側の外観図である。理解を容易にするため、図１では、本発明の主要部分と直接関係しない箇所は適宜省略し、扉内に備えられる室内側ユニットの主な構成要素を適宜透視している。図示の開口部装置は、マンション等に代表される集合住宅の玄関等に好適に使用されるスイング型の玄関扉を備える開口部装置１０００であり、当該玄関扉に本発明にかかる施錠装置１００が備えられている。
【００３３】
施錠装置１００は、第１の施錠ユニット４０と第２の施錠ユニット８０とを備えている。第１の施錠ユニット４０は、室外側に設けられた第１のシリンダー錠（不図示）、扉の内部に設けられた第１の錠箱１０、及び当該第１の錠箱１０の室内側に設けられた第１の室内側ユニット２０を備え、第２の施錠ユニット８０は、室外側に設けられた第２のシリンダー錠（不図示）、扉の内部に設けられた第２の錠箱６０、及び当該第２の錠箱６０の室内側に設けられた第２の室内側ユニット７０を備えている。第１の室内側ユニット２０は、第１回転手段２１、第１回転子（不図示）を回転操作すべき第１サムターン２２、及び、当該第１サムターン２２の台座となるべき第１サムターンカラー２７を備えている。一方、第２の室内側ユニット７０は、第２回転手段７１、第２回転子（不図示）を回転操作すべき第２サムターン７２、及び、当該第２サムターン７２の台座となるべき第２サムターンカラー７７を備え、第１回転手段２１と第２回転手段７１とは、連動手段としてのワイヤ（以下において、単に「ワイヤ」と記述することがある。）９０を介して連結されている。図示のように、本発明にかかる第１の室内側ユニット２０及び第２の室内側ユニット７０の外観は、類似している。
【００３４】
施錠装置１００において、ワイヤ９０の一端は第１回転手段２１に、同他端は第２回転手段７１に、それぞれ固定されており、上記一端を出たワイヤ９０は、第１固定部材２４及び第２固定部材７４に形成された溝を介して、上記他端へと達している。そのため、例えば、サムターン２２を時計回りに回転操作することにより第１回転手段２１が時計回りに回転動作されると、ワイヤ９０はその長さが固定されていることから、当該ワイヤ９０を介して第２回転手段７１を時計回りの方向へと回転動作させる力が作用し、その結果として、第２回転手段７１も時計回りに回転する。なお、第１回転手段２１が反時計回りに回転動作する場合、又は、第２回転手段が回転動作する場合にも、以下同様にして、第２回転手段７１が反時計回りに、又は、第１回転手段が、それぞれ回転動作する。なお、図示の施錠装置１００において、第１回転手段２１、第１固定部材２４、ワイヤ９０、第２回転手段７１、及び第２固定部材７４は扉の内部に備えられており、これらを始めとして扉の内部に備えられる各部材は、外部（室内及び室外側）から認識されないように配置されている。そして、かかる形態を有する施錠装置１００は、上記第１の錠箱１０に備えられる第１デッドボルト１２及び上記第２の錠箱６０に備えられる第２デッドボルト６２が駆動されることにより、施解錠される。
【００３５】
図２は、本発明の施錠装置を備える開口部装置を概略的に示す外観図である。図２（Ａ）は、上記開口部装置１０００を室外側から見た外観図であり、図２（Ｂ）は、同開口部装置１０００を室内側から見た外観図である。
【００３６】
図２（Ａ）に示すように、開口部装置１０００の室外側には、第１のシリンダー錠１及び第２のシリンダー錠５１が備えられており、室外側から施解錠操作を行う際には、第１のシリンダー錠１と第２のシリンダー錠５１とを個別に操作する必要がある。そして、シリンダー錠１、５１の解錠操作を行って玄関扉の内部に備えられている第１の錠箱及び第２の錠箱（共に不図示）が解錠されると、例えば、室外側把手を掴んで扉を紙面手前方向へ移動させる等の方法により、扉を室外側へと開くことが可能になる。これに対し、図２（Ｂ）に示すように、開口部装置１０００の室内側には、第１の室内側ユニット２０並びに第２の室内側ユニット７０のサムターン及びサムターンカラーが室内側から認識可能なように設けられており、扉の中に備えられている第１回転手段、第２回転手段、あるいはワイヤ等は室内側からは認識されない。ここに、第１の室内側ユニット２０の第１回転手段と第２の室内側ユニット７０の第２回転手段とは、ワイヤを介して連結されている。そのため、室内側から施解錠操作を行う際には、第１サムターンのみ、又は、第１サムターンと第２サムターンとを回転操作することで、錠箱を施解錠することが可能になる。このようにサムターンを用いて解錠操作することにより第１及び第２の錠箱が解錠されると、例えば、室内側把手を掴んで紙面奥の方向へ扉を移動させる等の方法により、扉を室外側へと開くことが可能になる。
【００３７】
図３は、第１の室内側ユニット２０及び第２の室内側ユニット７０の各構成部材、並びに、第１の錠箱１０及び第２の錠箱６０の配置形態を概略的に示す外観図である。
第１の室内側ユニット２０は、孔２４Ｂ、２４Ｃ、２４Ｅ、及び溝部２４Ｈを備える第１固定部材２４と、凸部２１Ａ、孔２１Ｂ、２１Ｃ、２１Ｅ、及び部位２１Ｆを備える第１回転手段２１を備え、さらに、筒状部材２５Ｂ、２５Ｃと、駆動子作動部２３Ｉ、空転部２３Ｊ、バネを備えるバネ部２３Ｋ、及び端部２３Ｌを備える第１回転子２３と、孔２６Ｅを備える固定リング２６と、孔２７Ｂ、２７Ｃ、及び２７Ｅを備えるサムターンカラー２７と、ネジ２７ｂ、２７ｃと、連動部２２Ｅを備える第１サムターン２２と、を備えている。そして、第１の錠箱１０は、溝状形態を有する第１駆動子１１と、穴１０Ｂ、１０Ｃとを備えており、当該第１駆動子１１、孔２４Ｅ、孔２１Ｅ、第１回転子２３、孔２６Ｅ、孔２７Ｅ、及び、連動部２２Ｅは、同軸方向に配置されている。
【００３８】
一方、第２の室内側ユニット７０は、孔７４Ｂ、７４Ｃ、７４Ｅ、及び溝部７４Ｈを備える第２固定部材７４と、凸部７１Ａ、孔７１Ｂ、７１Ｃ、７１Ｅ、及び部位７１Ｆを備える第２回転手段７１を備え、さらに、筒状部材７５Ｂ、７５Ｃと、孔７６Ｅを備える固定リング７６と、孔７７Ｂ、７７Ｃ、及び７７Ｅを備えるサムターンカラー７７と、ネジ７７ｂ、７７ｃと、第２回転子７２Ｅを備える第２サムターン７２と、を備えている。そして、第２の錠箱６０は、溝状形態を有する第２駆動子６１と、穴６０Ｂ、６０Ｃとを備えており、当該第２駆動子６１、孔７４Ｅ、孔７１Ｅ、孔７６Ｅ、孔７７Ｅ、及び第２回転子７２Ｅは、同軸方向に配置されている。
【００３９】
ここに、第１回転手段２１及び第２回転手段７１は、ワイヤ９０を介して連結されており、当該ワイヤ９０の一端は、第１回転手段２１の部位２１Ｆに、同他端は、第２回転手段７１の部位７１Ｆに、それぞれ固定されている。また、連動部２２Ｅの端面には、上記空転部２３Ｊの少なくとも一部、バネ部２３Ｋ、及び端部２３Ｌを挿入可能な穴が形成されている。さらに、上記各構成部材において、第１駆動子１１の内周面形状、孔２１Ｅの内周面形状、駆動子作動部２３Ｉの外周面形状、及び連動部２２Ｅの外周面形状は、相似形又は略同一であり、第２駆動子６１の内周面形状、孔７１Ｅの内周面形状、及び第２回転子７２Ｅの外周面形状は、相似形又は略同一である。
【００４０】
上記構成部材により構成される第１の室内側ユニット２０を第１の錠箱１０の室内側へと配置する場合には、例えば、孔２１Ｅ及び２４Ｅを介して第１回転子の駆動子作動部２３Ｉを第１駆動子１１内へと差し込み、第１の錠箱１０、第１固定部材２４、第１回転手段２１、及び第１回転子２３を仮固定する。その後、部材２５Ｂの一端を孔２１Ｂを介して孔２４Ｂに配置するとともに部材２５Ｃの一端を孔２１Ｃを介して孔２４Ｃに配置し、孔２６Ｅ及び孔２７Ｅを介して、連動部２２Ｅの端面に形成されている穴に第１回転子のバネ部２３Ｋ及び端部２３Ｌが差し込まれるような形態で、サムターン２２を配置する。そして、ネジ２７ｂを孔２７Ｂ、部材２５Ｂの孔、孔２４Ｂ、及び穴１０Ｂへと順に差し込むとともに、ネジ２７ｃを孔２７Ｃ、部材２５Ｃの孔、孔２４Ｃ、及び穴１０Ｃへと順に差し込み、ネジ２７ｂ及び２７ｃを穴１０Ｂ及び穴１０Ｃへと固定する。このような手順を経ることにより、第１の室内側ユニット２０を第１の錠箱１０の室内側へと配置することが可能になる。
なお、上記筒状部材２５Ｂ、２５Ｃは、第１固定部材２４と第１サムターンカラー２７とを所定の間隔に保つために備えられている部材である。これらの部材が備えられれば、第１の錠箱１０と第１サムターン２２との間隔を特定の間隔に保つことが可能になる。すなわち、これらの部材は、第１サムターン２２による効果的な施解錠操作の実施を可能にしている。
【００４１】
一方、上記構成部材により構成される第２の室内側ユニット７０を第２の錠箱６０の室内側へと配置する場合には、例えば、ネジ７７ｂを孔７７Ｂに、第２回転子７２Ｅを孔７７Ｅ及び７６Ｅに、さらに、ネジ７７ｃを孔７７Ｃにそれぞれ差し込む。次に、ネジ７７ｂを筒状部材７５Ｂの孔、孔７１Ｂ、孔７４Ｂ、及び穴６０Ｂへ、第２回転子７２Ｅを孔７１Ｅ、孔７４Ｅ、及び第２駆動子６１へ、さらに、ネジ７７ｃを筒状部材７５Ｃの孔、孔７１Ｃ、孔７４Ｃ、及び穴６０Ｃへと順に差し込み、その後、ネジ７７ｂ及び７７ｃを穴６０Ｂ及び６０Ｃへと固定する。このような手順を経ることにより、第２の室内側ユニット７０を第２の錠箱６０の室内側へと配置することが可能になる。
なお、上記筒状部材７５Ｂ、７５Ｃは、第２固定部材７４と第２サムターンカラー７７とを所定の間隔に保つために備えられている部材である。これらの部材が備えられれば、第２の錠箱６０と第２サムターン７２との間隔を特定の間隔に保つことが可能になる。すなわち、これらの部材は、第２サムターン７２による効果的な施解錠操作の実施を可能にしている。
【００４２】
図４に、上記手順等により組み立てられた第１の室内側ユニット２０の正面図、側面図、及び上面図、並びに、第２の室内側ユニット７０の正面図及び側面図を概略的に示す。図４（Ａ）は、第１の室内側ユニット２０の正面図であり、図４（Ｂ）は、図４（Ａ）の矢視図（側面図）、図４（Ｃ）は、図４（Ａ）の矢視図（上面図）である。また、図４（Ｄ）は、第２の室内側ユニット７０の正面図であり、図４（Ｅ）は、図４（Ｄ）の矢視図（側面図）である。なお、図４にかかる室内側ユニットの各部位には、図３にかかる室内側ユニットの対応部位に付した符号と同符号を付し、その説明を省略する。また、図４（Ｂ）及び（Ｅ）は、各部材を適宜透視して示す透視図である。
【００４３】
このようにして、第１の錠箱１０及び第２の錠箱６０の室内側に、第１の室内側ユニット２０及び第２の室内側ユニット７０が備えられれば、第１サムターン２２や第２サムターン７２を回転操作することにより、室内側から、第１の錠箱１０及び第２の錠箱６０の施解錠操作を行うことが可能になる。そこで、以下に、室内側から実施する、第１の錠箱及び第２の錠箱の施解錠操作について概説する。
【００４４】
図５は、図３の矢視図である。図５にかかる室内側ユニットの各部位には、図３にかかる室内側ユニットの対応部位に付した符号と同符号を付し、その詳細説明を省略する。図５（Ａ）は、通常の状態（第１サムターン２２が室外側へ押されていない状態）における、第１回転手段２１、第１回転子２３、及び第１サムターン２２の位置関係を示す概略図であり、位置関係についての理解を容易にするため、第１回転手段２１は第１回転子２３の軸と平行な面で切断した断面を示すとともに、他の部材（筒状部材やサムターンカラー等）を省略して示している。一方、図５（Ｂ）は、第１サムターン２２が室外側へ押されている状態における、第１回転手段２１、第１回転子２３、及び第１サムターン２２の位置関係を示す概略図であり、第１サムターン２２の状態以外は図５（Ａ）と同様の条件で示している。他方、図５（Ｃ）は、第２回転手段７１、第２回転子７２Ｅ、第２サムターンカラー７７、及び第２サムターン７２の位置関係を示す概略図であり、位置関係についての理解を容易にするため、第２回転手段７１及び第２サムターンカラー７７は第２回転子７２Ｅの軸と平行な面で切断した断面を示すとともに、他の部材（筒状部材や固定リング等）を省略して示している。
【００４５】
上述のように、第１回転子の駆動子作動部２３Ｉは第１駆動子１１に、同バネ部及び端部は連動部２２Ｅに、差し込まれることから、通常、第１回転手段の孔２１Ｅには、第１回転子の空転部２３Ｊが配置されている（図５（Ａ）参照）。ここに、空転部２３Ｊの外周面形状と上記孔２１Ｅの内周面形状とは異なっており、空転部２３Ｊの鉛直方向断面は孔２１Ｅの鉛直方向断面よりも小さい。そのため、第１回転手段の孔２１Ｅと第１回転子の空転部２３Ｊとは噛み合わず、孔２１Ｅに空転部２３Ｊが配置されている際に第１回転子２３が回転動作されても、当該第１回転子２３は第１回転手段２１を回転動作させることができない。したがって、第１サムターン２２を単に回転操作すると第１回転子２３が回転動作される反面、第１回転手段２１が回転動作されない。すなわち、第１サムターン２２を単に回転操作すると、回転動作される第１駆動子１１を介して第１の錠箱１０を施解錠可能である一方で、第２回転手段７１、第２駆動子６１、及び第２回転子７２Ｅが回転動作されず、第２の錠箱６０を施解錠できない。
【００４６】
これに対し、第１サムターンの連動部２２Ｅには第１回転子のバネ部が備えられているため、第１サムターン２２は、室内外方向へ前後動させることが可能である。ここに、孔２１Ｅの内周面形状と連動部２２Ｅの外周面形状とは略同一形状であるため、孔２１Ｅは連動部２２Ｅの一部を収容可能であり（図５（Ｂ）参照）、孔２１Ｅに連動部２２Ｅの一部が収容された状態で連動部２２Ｅが回転動作されると、当該回転動作に応じて孔２１Ｅを備える第１回転手段２１が回転動作される。すなわち、本発明の施錠装置において、第１サムターン２２を室外方向へ動作させると、第１サムターンの連動部２２Ｅの穴に第１回転子の端部、バネ部、及び空転部２３Ｊの一部（例えば、当該空転部２３Ｊの半分長程度）が入り込んで、当該連動部２２Ｅを孔２１Ｅへと差し込むことが可能になる。したがって、第１サムターン２２を室外方向へ動作させながら回転操作して連動部２２Ｅ及び第１回転子２３を回転動作させると、当該回転動作に応じて第１回転手段２１が回転動作されるとともに、第１回転子の駆動子作動部２３Ｉが差し込まれている第１駆動子が回転動作される結果、第１の錠箱１０が施解錠される。
【００４７】
このようにして第１回転手段２１が回転動作されると、当該第１回転手段２１は両端を固定されたワイヤ９０を介して第２回転手段７１と連結されているため、さらに、第２回転手段７１も第１回転手段２１と同様に回転動作される。ここで、第２回転手段７１を備える第２の室内側ユニット７０では、第２回転手段の孔７１Ｅを貫通している第２回転手段７２Ｅが第２駆動子６１内に差し込まれているほか、第２駆動子６１及び孔７１Ｅの内周面形状と第２回転子７２Ｅの外周面形状とは略同一である。そのため、第２回転手段７１が回転動作されることにより孔７１Ｅが回転動作されると、当該孔７１Ｅを貫通している第２回転子７２Ｅが回転動作され（図５（Ｃ）参照）、さらに、当該第２回転子７２Ｅの回転動作に応じて第２駆動子６１が回転動作される結果、第２の錠箱６０が施解錠される。
【００４８】
以上より、第１サムターン２２を室外方向へ押しながら回転操作すると、第１の錠箱１０及び第２の錠箱６０の施解錠を行うことが可能になるため、かかる操作を行うことで、第１の施錠ユニットと第２の施錠ユニットとを連動させることが可能になる。
【００４９】
２．施錠装置の施解錠操作
図６に、第１回転手段の孔２１Ｅ及び第２回転手段の孔７１Ｅ、第１回転子の空転部２３Ｊ、第１サムターンの連動部２２Ｅ、並びに、第２回転子７２Ｅの鉛直方向断面と、駆動子１１、６１の形態例とを概略的に示す。図６を参照しつつ、これら各部位・部材の形状、及び、施解錠状態時における駆動子の形態について概説する。
【００５０】
図６（Ａ）は、孔２１Ｅ、第１回転子の空転部２３Ｊ、及び連動部２２Ｅの鉛直方向断面を、それぞれ概略的に示している。図示のように、孔２１Ｅの内周面形状と連動部２２Ｅの外周面形状とは略同一である一方、孔２１Ｅの内周面形状と空転部２３Ｊの外周面形状とは異なっている。
【００５１】
図６（Ｂ）は、第１サムターン２２が室外方向へ押されていない場合（以下において、「通常状態」と記述することがある。）における、孔２１Ｅ及び空転部２３Ｊの配置を概略的に示す断面図であり、紙面に垂直な方向が室内外方向である。図示のように、通常状態下では、空転部２３Ｊが孔２１Ｅに配置され、空転部２３Ｊと孔２１Ｅとは噛み合わない。そのため、通常状態の時に空転部２３Ｊを備える第１回転子が回転動作されても、孔２１Ｅを備える第１回転手段は回転動作されない。同様にして、通常状態の時に孔２１Ｅを備える第１回転手段が回転動作されても、空転部２３Ｊを備える第１回転子は回転動作されない。
【００５２】
図６（Ｃ）は、第１サムターン２２が室外方向へ押されている場合（以下において、「移動状態」と記述する。）における、孔２１Ｅ及び連動部２２Ｅの配置を概略的に示す断面図であり、紙面に垂直な方向が室内外方向である。移動状態下では、連動部２２Ｅの少なくとも室外側先端部が孔２１Ｅに配置されるため、当該先端部を含む鉛直方向断面をとると、図示のように、孔２１Ｅに連動部２２Ｅが差し込まれる。上述のように、孔２１Ｅの内周面形状と連動部２２Ｅの外周面形状とは略同一であるため、移動状態の時に連動部２２Ｅを備える第１サムターンが回転操作され当該連動部２２Ｅが回転動作されると、孔２１Ｅを備える第１回転手段が回転動作される。なお、上述のように、第１回転子のバネ部が連動部２２Ｅ内に差し込まれている。そのため、室外方向へと押されている第１サムターンから手を離すと、当該バネ部の作用により、第１サムターンは室内方向へと移動し、通常状態の配置へと戻される。また、移動状態下に、孔２１Ｅを備える第１回転手段が回転動作されれば、以下同様にして、連動部２２Ｅを備える第１サムターン２２を回転動作させることが可能である。
【００５３】
図６（Ｄ）は、孔７１Ｅ及び第２回転子７２Ｅの鉛直方向断面を、それぞれ概略的に示している。図示のように、孔７１Ｅの内周面形状と第２回転子７２Ｅの外周面形状とは略同一である。
【００５４】
図６（Ｅ）は、第２の室内側ユニットにおける、孔７１Ｅ及び第２回転子７２Ｅの配置を概略的に示す断面図であり、紙面に垂直な方向が室内外方向である。第２の室内側ユニットでは、第２回転子７２Ｅが孔７１Ｅを貫通する形態で配置されるため、図示のように、孔７１Ｅは第２回転子７２Ｅで満たされる。そのため、孔７１Ｅを備える第２回転手段と第２回転子７２Ｅとは、常に同じ方向へ回転動作される。
【００５５】
図６（Ｆ）及び（Ｇ）は、解錠及び施錠状態にある錠箱を、施錠及び解錠する場合における、駆動子の形態を概略的に示す正面図である。図６（Ｆ）に示すように、解錠状態の駆動子１１（６１）は、当該駆動子１１（６１）を反時計回りに９０度回転動作させることで、施錠状態にすることができる。これに対し、図６（Ｇ）に示すように、施錠状態の駆動子１１（６１）は、当該駆動子１１（６１）を時計回りに９０度回転動作させることで、解錠状態にすることができる。すなわち、本発明にかかる錠箱は、駆動子を回転動作させることにより、施解錠することが可能になる。
【００５６】
図７は、第１及び第２駆動子、並びに、第１回転子の駆動子作動部及び第２回転子を抽出して概略的に示す、図５の矢視断面である。図７を参照しつつ、これら各部位・部材の形状について概説する。
【００５７】
図７（Ａ）は、第１駆動子１１及び第１回転子の駆動子作動部２３Ｉの鉛直方向断面を、概略的に示している。図示のように、溝状形態に形成されている第１駆動子１１の内周面形状と駆動子作動部２３Ｉの外周面形状とは略同一であり、図１のように第１の錠箱１０の室内側に第１の室内側ユニット２０が備えられると、駆動子作動部２３Ｉは第１駆動子１１の中に差し込まれる（図７（Ｂ）参照）。そのため、本発明の施錠装置１００において、第１駆動子１１が回転動作されると当該動作に応じて駆動子作動部２３Ｉが回転動作される一方、駆動子作動部２３Ｉが回転動作されると当該動作に応じて第１駆動子１１が回転動作される。
【００５８】
図７（Ｃ）は、第２駆動子６１及び第２回転子７２Ｅの鉛直方向断面を、概略的に示している。図示のように、溝状形態に形成されている第２駆動子６１の内周面形状と第２回転子７２Ｅの外周面形状とは略同一であり、図１のように第２の錠箱６０の室内側に第２の室内側ユニット７０が備えられると、第２回転子７２Ｅの室外側先端部は第２駆動子６１の中に差し込まれる（図７（Ｄ）参照）。そのため、本発明の施錠装置１００において、第２駆動子６１が回転動作されると当該動作に応じて第２回転子７２Ｅが回転動作される一方、第２回転子７２Ｅが回転動作されると当該動作に応じて第２駆動子６１が回転動作される。
【００５９】
図８〜図１１は、図５の矢視断面を概略的に示す図であり、第１の施錠ユニットにおける第１駆動子１１、第１回転手段の孔２１Ｅ、及び第２回転子２３の部位、並びに、第２の施錠ユニットにおける第２駆動子６１、第２回転手段の孔７１Ｅ、及び第２回転子７２Ｅのみを抽出し、拡大して示している。以下に、図６〜図８を参照しながら、室外側に設けられるシリンダー錠の操作と扉内に設けられる錠箱の動作との関係について詳述するとともに、図６、図７、及び図９〜図１１を参照しながら、室内側に設けられるサムターンの操作と上記錠箱の動作との関係について詳述する。図８〜図１１では、施錠操作を反時計回りの回転で表し、解錠操作を時計回りの回転で表している。なお、便宜上、以下の説明では、回転手段に備えられている孔が図６（Ｆ）にかかる解錠状態と略同形態である場合に、当該孔を「解錠状態の孔」と記述し、同施錠状態と略同形態である孔を「施錠状態の孔」と記述するが、第１の施錠ユニットでは、当該孔の形態と第１の錠箱の施解錠状態とは必ずしも対応しない。
【００６０】
２．１．室外側からの施解錠操作
２．１．１．室外側からの施錠操作
図８は、解錠状態の第１駆動子１１、駆動子作動部２３Ｉ、孔２１Ｅ、及び、空転部２３Ｊ、並びに、解錠状態の第２駆動子６１、第２回転子７２Ｅ、及び、孔７１Ｅを示している。図８（Ａ−１）に示すように、第１シリンダー錠を操作することにより第１駆動子１１を反時計回りに回転動作させて第１の錠箱の施錠操作を行うと、第１の錠箱が施錠される。ここで、上記第１駆動子１１の回転動作に応じて駆動子作動部２３Ｉを備える第１回転子２３が回転動作され、当該回転動作により第１サムターン（不図示）が施錠状態（例えば、水平状態）へと変更されるものの、当該第１回転子の空転部２３Ｊと第１回転手段の孔２１Ｅとは噛み合わない。そのため、当該施錠操作時には、空転部２３Ｊを備える第１回転子が孔２１Ｅ内で空転し、その結果として、第１回転手段は回転動作されず、結局、第１の錠箱のみが施錠される（図８（Ａ−２）参照）。したがって、第２の錠箱を施錠するには、第１シリンダー錠の操作とは別に、第２シリンダー錠を操作することにより、第２駆動子６１を反時計回りに回転動作させる（図８（Ｂ−１）参照）。このようにして第２駆動子６１が反時計回りに回転動作されると、当該第２駆動子６１内に差し込まれている第２回転子７２Ｅも共に反時計回りに回転動作され、さらに、当該第２回転子７２Ｅによって貫通されている孔７１Ｅを備える第２回転手段も反時計回りに回転動作される。そして、当該第２回転手段と連動する第１回転手段も反時計回りに回転動作されるため、当該第１回転手段に備えられる孔２１Ｅが反時計回りに回転動作される（図８（Ｂ−２）参照）。なお、第２回転子７２Ｅが回転動作されると、当該第２回転子７２Ｅを備える第２サムターン（不図示）が回転動作される。そのため、上記第２シリンダー錠操作による施錠操作が行われると、第２サムターンが施錠状態（例えば、水平状態）へと変更される。
【００６１】
２．１．２．室外側からの解錠操作
図８（Ｃ−１）に示すように、第１シリンダー錠を操作することにより第１駆動子１１を時計回りに回転動作させて第１の錠箱の解錠操作を行うと、第１の錠箱が解錠される。ここで、上記施錠操作の場合と以下同様にして、空転部２３Ｊと孔２１Ｅとは噛み合わないため、当該解錠操作の場合にも、空転部２３Ｊを備える第１回転子が孔２１Ｅ内で空転し、その結果として、第１回転手段は回転動作されず、第１の錠箱のみが解錠される（図８（Ｃ−２）参照）。したがって、第２の錠箱を解錠するには、第１シリンダー錠の操作とは別に、第２シリンダー錠を操作することにより、第２駆動子６１を時計回りに回転動作させる（図８（Ｄ−１）参照）。このようにして第２駆動子６１が時計回りに回転動作されると、上記施錠操作の場合と以下同様にして、当該第２駆動子６１内に差し込まれている第２回転子７２Ｅも共に時計回りに回転動作され、さらに、孔７１Ｅを備える第２回転手段及び孔２１Ｅを備える第１回転手段も時計回りに回転動作される(図８（Ｄ−２）参照）。なお、上記施錠操作の場合と以下同様にして、解錠操作後の第１サムターン及び第２サムターンは、解錠状態（例えば、鉛直方向に平行な状態）へと変更される。
【００６２】
２．２．室内側からの施解錠操作
２．２．１．第１サムターンによる施錠操作
（１）孔２１Ｅ及び第１サムターンが解錠状態の場合
孔２１Ｅ及び第１サムターンが解錠状態である場合（図９（Ａ）参照）に、第１サムターンを反時計回りに回転操作することにより室内側から施錠操作を行うと、第１サムターンの回転動作に応じて回転動作される駆動子作動部２３Ｉ及び空転部２３Ｊが反時計回りに回転動作される。図９（Ａ）に示すように、駆動子作動部２３Ｉは第１駆動子１１内に、空転部２３Ｊは孔２１Ｅに、それぞれ差し込まれており、駆動子作動部２３Ｉが回転動作されると第１駆動子１１も回転動作される一方、空転部２３Ｊが回転動作されても孔２１Ｅを備える第１回転手段は回転動作されない。そのため、第１サムターンの上記回転操作を行うと、第１駆動子１１が回転動作されるため第１の錠箱が施錠される反面、第１回転手段及び当該第１回転手段と連動する第２回転手段が回転動作されないため、結局、第２の施錠ユニットの各構成要素は回転動作されず、第２駆動子６１、第２回転子７２Ｅ、及び孔７１Ｅの解錠状態が維持される。
【００６３】
これに対し、孔２１Ｅ及び第１サムターンが解錠状態である場合に、第１サムターンを室外方向へ押しながら反時計回りに回転操作することにより室内側から施錠操作（以下において、「押圧施錠操作」と記述する。）を行うと、第１駆動子１１内に差し込まれている駆動子作動部２３Ｉ、及び、孔２１Ｅに先端が差し込まれている連動部２２Ｅが反時計回りに回転動作される（図９（Ｂ）参照）。ここに、第１駆動子１１は駆動子作動部２３Ｉの回転動作に応じて回転動作されるため、上記押圧施錠操作により、第１の錠箱を施錠することが可能になる。一方、図９（Ｂ）に示すように、連動部２２Ｅ及び孔２１Ｅが噛み合っているため、連動部２２Ｅが反時計回りに回転動作されると、孔２１Ｅを備える第１回転手段が反時計回りに回転動作される。ここで、第１回転手段はワイヤを介して第２回転手段と連結されており、第１回転手段と第２回転手段とは同じ方向へ回転動作される。そのため、上記押圧施錠操作により第１回転手段が反時計回りに回転動作されると、それに連動して孔７１Ｅを備える第２回転手段も反時計回りに回転動作される。また、上述のように、孔７１Ｅ及び第２回転子７２Ｅが噛み合っているほか、当該第２回転子７２Ｅ及び第２駆動子６１も噛み合っている。したがって、このようにして孔７１Ｅが反時計回りに回転動作されると、当該回転動作に連動して、第２回転子７２Ｅ及び第２駆動子６１が反時計回りに回転動作され、第２駆動子６１、第２回転子７２Ｅ、及び、孔７１Ｅが施錠状態へと変更される。
【００６４】
（２）孔２１Ｅ及び第１サムターンが施錠及び解錠状態の場合
孔２１Ｅが施錠状態であるとともに第１サムターンが解錠状態である場合に、第１サムターンを反時計回りに回転操作することにより室内側から施錠操作を行うと、駆動子作動部２３Ｉ及び空転部２３Ｊが反時計回りに回転動作される。図９（Ｃ）に示すように、駆動子作動部２３Ｉは第１駆動子１１内に、空転部２３Ｊは孔２１Ｅに、それぞれ差し込まれているため、第１サムターンの上記回転操作を行うと、第１駆動子１１が回転動作されるため第１の錠箱が施錠される反面、第１回転手段及び第２回転手段が回転動作されないため、孔２１Ｅ、第２駆動子６１、第２回転子７２Ｅ、及び孔７１Ｅの施錠状態が維持される。
なお、孔２１Ｅ及び第１サムターンが施錠及び解錠状態の場合には、孔２１Ｅが施錠状態である一方で、連動部２２Ｅが解錠状態であるため、両者は噛み合わない。したがって、仮に第１サムターンを室外方向へ移動させたとしても当該移動が抑制されて連動部２２Ｅを孔２１Ｅへ差し込むことができないことから、第１の施錠ユニットと第２の施錠ユニットとを連動させることが不可能になる。
【００６５】
２．２．２．第１サムターンによる解錠操作
（１）孔２１Ｅ及び第１サムターンが施錠状態の場合
孔２１Ｅ及び第１サムターンが施錠状態である場合に、第１サムターンを時計回りに回転操作することにより室内側から解錠操作を行うと、第１サムターンの回転動作に応じて回転動作される駆動子作動部２３Ｉ及び空転部２３Ｊが時計回りに回転動作される。図１０（Ａ）に示すように、駆動子作動部２３Ｉは第１駆動子１１内に、空転部２３Ｊは孔２１Ｅに、それぞれ差し込まれているため、第１サムターンの上記回転操作を行うと、第１駆動子１１が回転動作されるため第１の錠箱が解錠される反面、第１回転手段及び第２回転手段が回転動作されないため、孔２１Ｅ、第２駆動子６１、第２回転子７２Ｅ、及び孔７１Ｅの施錠状態が維持される。
【００６６】
これに対し、孔２１Ｅ及び第１サムターンが施錠状態である場合に、第１サムターンを室外方向へ押しながら時計回りに回転操作することにより室内側から解錠操作（以下において、「押圧解錠操作」と記述する。）を行うと、第１駆動子１１内に差し込まれている駆動子作動部２３Ｉ、及び、孔２１Ｅに先端が差し込まれている連動部２２Ｅが時計回りに回転動作される（図１０（Ｂ）参照）。ここに、第１駆動子１１は駆動子作動部２３Ｉの回転動作に応じて回転動作されるため、上記押圧解錠操作により、第１の錠箱を解錠することが可能になる。一方、図１０（Ｂ）に示すように、連動部２２Ｅ及び孔２１Ｅが噛み合っているため、連動部２２Ｅが時計回りに回転動作されると、孔２１Ｅを備える第１回転手段が時計回りに回転動作される。ここで、第１回転手段はワイヤを介して第２回転手段と連結されており、第１回転手段と第２回転手段とは同じ方向へ回転動作される。そのため、上記押圧解錠操作により第１回転手段が時計回りに回転動作されると、それに連動して孔７１Ｅを備える第２回転手段も時計回りに回転動作される。また、上述のように、孔７１Ｅ及び第２回転子７２Ｅ、並びに、第２回転子及び第２駆動子６１が噛み合っている。したがって、このようにして孔７１Ｅが時計回りに回転動作されると、当該回転動作に連動して、第２回転子７２Ｅ及び第２駆動子６１が時計回りに回転動作され、第２駆動子６１、第２回転子７２Ｅ、及び、孔７１Ｅが解錠状態へと変更される。
【００６７】
（２）孔２１Ｅ及び第１サムターンが解錠及び施錠状態の場合
孔２１Ｅが解錠状態であるとともに第１サムターンが施錠状態である場合に、第１サムターンを時計回りに回転操作することにより室内側から解錠操作を行うと、駆動子作動部２３Ｉ及び空転部２３Ｊが時計回りに回転動作される。図１０（Ｃ）に示すように、駆動子作動部２３Ｉは第１駆動子１１内に、空転部２３Ｊは孔２１Ｅに、それぞれ差し込まれているため、第１サムターンの上記回転操作を行うと、第１駆動子１１が回転動作されるため第１の錠箱が解錠される反面、第１回転手段及び第２回転手段が回転動作されないため、孔２１Ｅ、第２駆動子６１、第２回転子７２Ｅ、及び孔７１Ｅの解錠状態が維持される。
なお、孔２１Ｅ及び第１サムターンが解錠及び施錠状態の場合には、孔２１Ｅが解錠状態である一方で、連動部２２Ｅが施錠状態であるため、両者は噛み合わない。したがって、仮に第１サムターンを室外方向へ移動させたとしても当該移動が抑制されて連動部２２Ｅを孔２１Ｅへ差し込むことができないことから、第１の施錠ユニットと第２の施錠ユニットとを連動させることが不可能になる。
【００６８】
２．２．３．第２サムターンによる施錠操作
（１）第１駆動子及び第２駆動子が解錠状態の場合
第１駆動子１１及び第２駆動子６１が解錠状態である場合に、第２サムターンを反時計回りに回転操作することにより室内側から施錠操作を行うと、第２サムターンの回転動作に応じて回転動作される第２回転子７２Ｅが反時計回りに回転動作する。図１１（Ａ）に示すように、第２回転子７２Ｅは孔７１Ｅを貫通する形態で配置されているとともに当該第２回転子７２Ｅの室外側先端部は第２駆動子６１内に差し込まれている。さらに、第２回転子７２Ｅの外周面形状と、孔７１Ｅ及び第２駆動子６１の内周面形状とは略同一である。そのため、第２回転子７２Ｅが反時計回りに回転動作されると、それに伴って、孔７１Ｅ及び第２駆動子６１が反時計回りに回転動作され、施錠状態へと変更される。一方、孔７１Ｅが回転動作されると第２回転手段が回転動作され、さらに、当該第２回転手段と連動する第１回転手段が回転動作される。すなわち、上記のようにして孔７１Ｅが反時計回りに回転動作されると、孔２１Ｅを備える第１回転手段が反時計回りに回転動作されることから、孔２１Ｅが反時計回りに回転動作され、施錠状態へと変更される。他方、図１１（Ａ）に示すように、孔２１Ｅには空転部２３Ｊが配置されているため、孔２１Ｅが反時計回りに回転動作されても空転部２３Ｊを備える第１回転子は回転動作されない。したがって、第２サムターンの上記回転操作を行うと、第２駆動子６１が回転動作されるため第２の錠箱が施錠される反面、第１回転子が回転動作されないため、第１駆動子１１の解錠状態が維持される。
【００６９】
（２）第１駆動子及び第２駆動子が施錠及び解錠状態の場合
第１駆動子１１が施錠状態であるとともに第２駆動子６１が解錠状態である場合（図１１（Ｂ）参照）に、第２サムターンを反時計回りに回転操作することにより室内側から施錠操作を行うと、第２回転子７２Ｅが反時計回りに回転動作されるため、上記図１１（Ａ）の場合と以下同様にして、第２駆動子６１及び孔７１Ｅが施錠状態へと変更されるとともに、孔２１Ｅが施錠状態へと変更される。一方、図１１（Ｂ）に示すように、孔２１Ｅには空転部２３Ｊが配置されているため、孔２１Ｅが回転動作されても空転部２３Ｊを備える第１回転子は回転動作されない。したがって、第２サムターンの上記回転操作を行うと、第２駆動子６１が回転動作されるため第２の錠箱が施錠される反面、第１回転子が回転動作されないため、第１駆動子１１の施錠状態が維持される。
【００７０】
２．２．４．第２サムターンによる解錠操作
（１）第１駆動子及び第２駆動子が施錠状態の場合
第１駆動子１１及び第２駆動子６１が施錠状態である場合（図１１（Ｃ）参照）に、第２サムターンを時計回りに回転操作することにより室内側から解錠操作を行うと、第２回転子７２Ｅが時計回りに回転動作される。そのため、上記図１１（Ａ）の場合と以下同様にして、孔７１Ｅ、第２駆動子６１、及び孔２１Ｅが時計回りに回転動作され、これら各要素が解錠状態へと変更される。一方、図１１（Ｃ）に示すように、孔２１Ｅには空転部２３Ｊが配置されているため、孔２１Ｅが回転動作されても空転部２３Ｊを備える第１回転子は回転動作されない。したがって、第２サムターンの上記回転操作を行うと、第２駆動子６１が回転動作されるため第２の錠箱が解錠される反面、第１回転子が回転動作されないため、第１駆動子１１の施錠状態が維持される。
【００７１】
（２）第１駆動子及び第２駆動子が解錠及び施錠状態の場合
第１駆動子１１が解錠状態であるとともに第２駆動子６１が施錠状態である場合（図１１（Ｄ）参照）に、第２サムターンを時計回りに回転操作することにより室内側から解錠操作を行うと、第２回転子７２Ｅが時計回りに回転動作されるため、上記図１１（Ｃ）の場合と以下同様にして、孔７１Ｅ、第２駆動子６１、及び孔２１Ｅが時計回りに回転動作され、これら各要素が解錠状態へと変更される。一方、図１１（Ｄ）に示すように、孔２１Ｅには空転部２３Ｊが配置されているため、孔２１Ｅが回転動作されても空転部２３Ｊを備える第１回転子は回転動作されない。したがって、第２サムターンの上記回転操作を行うと、第２駆動子６１が回転動作されるため第２の錠箱が解錠される反面、第１回転子が回転動作されないため、第１駆動子１１の解錠状態が維持される。
【００７２】
以上、現時点において、最も、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う施錠装置及び該施錠装置を備える開口部装置もまた本発明の技術的範囲に包含されるものとして理解されなければならない。
【図面の簡単な説明】
【００７３】
【図１】本発明の施錠装置を備える開口部装置の代表的な部位を抽出してその形態例を概略的に示す、室内側の外観図である。
【図２】本発明の施錠装置を備える開口部装置を概略的に示す外観図である。
【図３】第１及び第２の室内側ユニットの各構成部材、並びに、第１及び第２の錠箱の配置形態を概略的に示す外観図である。
【図４】第１の室内側ユニットの正面図、側面図、及び上面図、並びに、第２の室内側ユニットの正面図及び側面図を示す概略図である。
【図５】第１及び第２の室内側ユニットの一部を概略的に示す外観図である。
【図６】回転手段の孔、回転子、第１サムターンの連動部、及び駆動子の形態例を示す概略図である。
【図７】駆動子及び回転子の形態例を示す概略図である。
【図８】駆動子及び回転子の施解錠状態例を示す概略図である。
【図９】駆動子、回転子、及び連動部の施解錠状態例を示す概略図である。
【図１０】駆動子、回転子、及び連動部の施解錠状態例を示す概略図である。
【図１１】駆動子、回転子、及び連動部の施解錠状態例を示す概略図である。
【符号の説明】
【００７４】
１  シリンダー錠（第１のシリンダー錠）
１０  錠箱（第１の錠箱）
１１  第１駆動子
１２  第１デッドボルト
２０  室内側ユニット（第１の室内側ユニット）
２１  回転手段（第１回転手段）
２２  第１室内操作手段（第１サムターン）
２３  回転子（第１回転子）
４０  施錠ユニット（第１の施錠ユニット）
５１  シリンダー錠（第２のシリンダー錠）
６０  錠箱（第２の錠箱）
６１  第２駆動子
６２  第２デッドボルト
７０  室内側ユニット（第２の室内側ユニット）
７１  回転手段（第２回転手段）
７２  第２室内操作手段（第２サムターン）
７２Ｅ  回転子（第２回転子）
８０  施錠ユニット（第２の施錠ユニット）
９０  連動手段（ワイヤ）
１００  施錠装置
１０００  開口部装置
【図１】
2006200147.tif 000003
【図２】
2006200147.tif 000004
【図３】
2006200147.tif 000005
【図４】
2006200147.tif 000006
【図５】
2006200147.tif 000007
【図６】
2006200147.tif 000008
【図７】
2006200147.tif 000009
【図８】
2006200147.tif 000010
【図９】
2006200147.tif 000011
【図１０】
2006200147.tif 000012
【図１１】
2006200147.tif 000013